(57)【要約】【課題】運動者の腕部のクールダウンをはかるべく開き部を開口した状態であっても、器具が体から容易に離れず脱衣状態になることを防止してサウナ効果を発揮させながら運動を続行できるようになした。【解決手段】胴部２の上部両側に袖部４、肩部３及び襟部５とを有し、チタン素材等気密性材料を使用して構成する場合、袖部４の袖口４ａの内側より肩部３に掛けて縁部７ａが全周に渡って連続する開き部７を形成し、開き部７の縁部７ａに開き部７を開閉する開閉手段として、互いに噛み合う一対の帯状噛合歯群８ａ、８ｂと両帯状噛合歯群８ａ、８ｂ上を摺動して両帯状噛合歯群８ａ、８ｂの噛合関係を解くスライダー８ｃとを有して構成するファスナー８を有し、スライダー８ｃを開き部７における肩部３側より袖口４ａ側に摺動させることによって両帯状噛合歯群８ａ、８ｂの噛合関係を順次解くように構成した。【選択図】図１
0003133831.tif 000002
【実用新案登録請求の範囲】
【請求項１】
胴部の上部両側に袖部、肩部及び襟部とを有し、チタン素材等気密性材料を使用して構成する衣類型健康器具であって、前記袖部の袖口の内側より前記肩部に掛けて縁部が全周に渡って連続する開き部を形成し、該開き部の前記縁部に当該開き部を開閉する開閉手段を設けて構成したことを特徴とする衣類型健康器具。
【請求項２】
前記開閉手段は、互いに噛み合う一対の帯状噛合歯群と該両帯状噛合歯群上を摺動して両帯状噛合歯群の噛合関係を解くスライダーとを有して構成するファスナーであることを特徴とする請求項１に記載の衣類型健康器具。
【請求項３】
前記ファスナーは、前記スライダーを、前記開き部における前記肩部側より袖口側に摺動させることによって前記両帯状噛合歯群の噛合関係を順次解くように構成したことを特徴とする請求項２記載の衣類型健康器具。
【考案の詳細な説明】
【技術分野】
【０００１】
本考案は、気密性のある素材により構成して、着衣しながら運動することによりサウナ効果を奏するサウナジャケット等の衣類型健康器具に関するものである。
【背景技術】
【０００２】
通常のジャケットにおいては、着脱衣を容易にするために、胴部の上部両側に袖部、肩部及び襟部とを有する場合に、袖部の袖口の内側から肩部を経て襟部全体に至る間を、切り離すことによって開き部を形成し、該開き部の縁部にファスナーを設けて、開き部を適宜開閉できるように構成したものが知られている（例えば、特許文献１及び２参照）。
【特許文献１】特公平８−２０９４０８号公報。
【特許文献２】特開２０００−１２９４１５号公報。
【０００３】
これによれば、ファスナーを、開き部が肩部側から袖部の袖口方向に開口させるように構成して、開き部は開けた状態では襟部開口（首部）に連通することによって、当該ジャケットの着脱衣を容易にできるように意図しているものである。
【考案の開示】
【考案が解決しようとする課題】
【０００４】
しかしながら、上記のように構成するジャケットをサウナジャケットのような衣類型健康器具に適用した場合、不便さがあること否めない。
【０００５】
すなわち、衣類型健康器具は、着衣しながら運動することによって体から発散した熱と湿気とを大気中に放散しないようにして器具内においてサウナ効果を発揮させ、体の新陳代謝を促進し、脂肪の燃焼を加速しようとするものであり、運動中に体温の上昇が著しく又は多量の発汗がなされて不快状態になった場合等には、着衣したまま腕等を露出させて適宜クールダウンを図りつつ、さらに、運動を続行しようとするように使用されることがある。
【０００６】
このような観点から、従来のようなジャケットをそのまま適用して構成した衣類型健康器具においては、開き部を開いてしまうと当該開き部は襟部開口にまで連通してしまい、このような状態で運動を続行したのでは、袖部から運動者の腕部を露出させるばかりでなく、器具全体が運動者の体から離れて脱衣状態になってしまい、サウナ効果を発揮させながら運動を続行することが不可能になってしまう。
【０００７】
そこで、本考案は、運動者の腕部のクールダウンをはかるべく開き部を開口した状態であっても、器具が運動者の体から容易に離れず脱衣状態になることを防止してサウナ効果を発揮させながら運動を続行できるようになした衣類型健康器具を提供することを目的としている。
【課題を解決するための手段】
【０００８】
本考案に係る衣類型健康器具は、胴部の上部両側に袖部、肩部及び襟部とを有し、チタン素材等気密性材料を使用して構成する衣類型健康器具であって、前記袖部の袖口の内側より前記肩部に掛けて縁部の全周に渡って連続する開き部を形成し、該開き部の前記縁部に当該開き部を開閉する開閉手段を設けて構成したことを特徴とする。
【０００９】
かかる構成を有することにより、本発明に係る衣類型健康器具を着衣しながら運動した際に、運動者がクールダウンを図ろうして、開閉手段を操作して開き部を開口して運動者の腕部を露出させた場合、当該開き部は、その縁部が袖部の袖口の内側より肩部に掛けて全周に渡って連続した状態で開口するも襟部開口に連通していないことから、当該衣類型健康器具は、サウナ効果を発揮させながらさらに運動を続行しようとした場合、体から容易に離れず脱衣状態になることを防止することができ、腕を露出した状態における袖部が当該運動に支障を来たす場合には、当該両袖部は運動者の体の前或いは後側に互いに結んでおけば運動上支障を来たすことがない。
【００１０】
上記本考案は、前記衣類型健康器具における開閉手段を、互いに噛み合う一対の帯状噛合歯群と該両帯状噛合歯群上を摺動して両帯状噛合歯群の噛合関係を解くスライダーとを有して構成するファスナーで構成することができる。
【００１１】
かかる構成により、スライダーの移動量を適宜選択することにより、開き部の開口面積を変更することができる。
【００１２】
また、上記本考案は、前記ファスナーを構成するスライダーを、開き部における肩部側より袖口側に摺動させることによって両帯状噛合歯群の噛合関係を順次解くように構成するようにしてもよい。
【００１３】
かかる構成により、スライダーの移動量を適宜選択することにより、開き部を肩部側から選択的に徐々に大きく開口することができることから、サウナ効果とクールダウン効果との兼ね合いを適宜調整することができる。
【考案の効果】
【００１４】
上記のように構成する本考案によれば、本発明に係る衣類型健康器具を着衣しながら運動した際に、運動者がクールダウンを図ろうして、開閉手段を操作して開き部を開口して腕部を露出させた場合、当該開き部は、その縁部が袖部の袖口の内側より肩部に掛けて全周に渡って連続した状態で開口するも襟部開口に連続していないことから、当該衣類型健康器具は、サウナ効果を発揮させながらさらに運動を続行しようとした場合、体から容易に離れず脱衣状態になることを防止することができ、腕を露出した状態における袖部が当該運動に支障を来たす場合には、当該両袖部は運動者の体の前或いは後側に互いに結んでおけば運動上支障を来たすことがない。
【考案を実施するための最良の形態】
【００１５】
次に、本考案に係る実施の形態について、図１乃至図４を用いて説明する。
【００１６】
図１は本考案に係る実施例を採用した衣類型健康器具の正面図、図２は図１における衣類型健康器具の開き部を閉じた状態における袖部付近の拡大斜視図、図３は同じく開き部を開いた状態における袖部付近の拡大斜視図、図４は同じく開き部を開口した状態で運動者に着衣させた状態を描画した斜視図ある。
【００１７】
図において、本考案に係る実施例を採用した衣類型健康器具１は、全体を運動者１０の運動によるサウナ効果を発揮するようにチタン素材等の気密性を有する布素材を使用して構成されており、胴部２を中心として、胴部２の上部両側部を適宜徐々に萎めた状態で形成した一対の肩部３と、各肩部３の外側先端部よりそれぞれ延在形成された一対の袖部４と、両肩部３を連結して延在形成したフード型の襟部５とを有して構成している。
【００１８】
そして、衣類型健康器具１の正面側において、胴部２と襟部５とは、切り離されているも、チャック６により連結されるように構成されて、ジャケットとしての衣類型健康器具１を構成している。
【００１９】
さらに、両袖部４の袖口４ａの内側から両肩部３に掛けて、それぞれ開き部７が形成されており、開き部７の縁部７ａは、途中で切断されることなく全周に渡って連続するように構成しており、開き部７を開閉するための開閉手段であるジッパー型のファスナー８がそれぞれ設けられている。
【００２０】
ファスナー８は、互いに噛み合い可能に構成された縁部７ａに装着された帯状噛合歯群８ａ、８ｂと、帯状噛合歯群８ａ、８ｂの噛合関係を解くスライダー８ｃとで構成しており、スライダー８ｃを、開き部７における袖口４ａ側より肩部３側に摺動させることによって、両帯状噛合歯群８ａ、８ｂの噛合関係を順次解くように構成されている。
【００２１】
上記のように構成する場合、衣類型健康器具１は、サウナ効果を発揮すべく着衣する場合、チャック６により切り離された胴部２及び襟部５とを連結するとともに、ファスナー８のスライダー８ｃを袖口４ａ側から肩部３側に移動させて、両帯状噛合歯群ａ、８ｂ同士を噛合させることにより、開き部７を閉口することになる。
【００２２】
このようにして、衣類型健康器具１を運動者が着衣したまま運動することにより、運動者の体は衣類型健康器具１によって覆われることになり、運動者の体から発散した熱と湿気とを大気中に放散しないようにして衣類型健康器具１内においてサウナ効果を浴することができ、運動者の体の新陳代謝が促進されると共に、脂肪の燃焼を加速させることができ、運動者１０の健康作りに寄与するものである。
【００２３】
この際、フード型の襟部５を広げて、運動者１０の頭部１０ｃを覆うことによって、サウナ効果をさらに高めることができる。
【００２４】
そして、所定時間運動後に、運動者１０において運動中に体温の上昇が著しく又は多量の発汗がなされて不快と状態になったような場合には、ファスナー８のスライダー８ｃをもって、帯状噛合歯群８ａ、８ｂ上を適宜の幅摺動させることによって、開き部７を適度に開口することができ、この開き部７から運動者の腕部を露出させることができ、当該腕部は冷気に当ってクールダウンされることになり、運動者１０は快適な体作りを続行させることができる。
【００２５】
また、スライダー８ｃのスライド量をさらに大きくすることによって、開き部７を全開させれば、運動者１０の腕１０ａを開き部７から飛び出させることができ、クールダウン効果をさらに助長することになる。
【００２６】
このように、運動者１０の腕１０ａを開き部７から飛び出させた状態においても、開き部７は、その縁部７ａが袖部４の袖口の内側より肩部３に掛けて全周に渡って連続した状態で開口しており、襟部５の襟部開口（首部）５ａに連通していないことから、衣類型健康器具１は、サウナ効果を発揮させながらさらに運動を続行しようとした場合、運動者１０の体１０ｂから容易に離れず脱衣状態になることを防止することができ、腕１０ａを飛び出させた状態における袖部４が当該運動に支障を来たす場合には、当該両袖部４は運動者１０の体１０ｂの前或いは後側に互いに結んでおけば、当該運動に支障を来たさないようにすることができる（図４参照）。
【００２７】
この状態において、フード状に形成した襟部５は、図４に示すように折り畳み収納するようにしておけば、運動者１０の頭部１０ｃを露出させ、頭部１０ｃのクールダウンを行うことができる。
【００２８】
図５及び図６は、本発明に係る他の実施例を採用した衣類型健康器具１を示すものである。
【００２９】
図５及び図６によれば、本発明に係る他の実施例は、開き部７の縁部７ａの一方側に、一端側が遊端となるように袖部４に装着されたファスナーカバー体９を設けた点、上記実施の形態に対して異なる構成を有するも、その他の構成は上記実施例と同様構成を有するもので、ファスナーカバー体９の遊端側が開き部７の縁部７ａの他方側まで延在して、噛合状態にある帯状噛合歯群８ａ、８ｂをスライダー８ｃと共に覆うようになっている。
【００３０】
したがって、噛合状態にあるファスナー８は、ファスナーカバー体９により常時覆われることになって、運動中にファスナー８が運動者１０に当接しないようにしている。
【００３１】
なお、上記の実施例においては、開き部７を開閉する開閉手段は、ジッパー型のファスナー８を使用したが、これに限定されるものではなく、例えば、釦或いはプレーンファスナー等により構成することができる。
【産業上の利用可能性】
【００３２】
以上説明したように、本考案は、本発明に係る衣類型健康器具を着衣しながら運動した際に、運動者がクールダウンを図ろうして、開閉手段を操作して開き部を開口して運動者の腕部を露出させた場合、当該開き部は、その縁部が袖部の袖口の内側より肩部に掛けて全周に渡って連続した状態で開口するも襟部開口に連続していないことから、当該衣類型健康器具は、サウナ効果を発揮させながらさらに運動を続行しようとした場合、体から容易に離れず脱衣状態になることを防止することができ、腕を露出した状態における袖部が当該運動に支障を来たす場合には、当該両袖部は運動者の体の前或いは後側に互いに結んでおけば当該運動に支障を来たすことがないために、気密性のある素材により構成して、着衣しながら運動することによりサウナ効果を奏するサウナジャケット等の衣類型健康器具等に好適であるといえる。
【図面の簡単な説明】
【００３３】
【図１】本考案に係る実施例を採用した衣類型健康器具の正面図である。
【図２】図１における衣類型健康器具の開き部を閉じた状態における袖部付近の拡大斜視図である。
【図３】同じく開き部を開いた状態における袖部付近の拡大斜視図である。
【図４】同じく開き部を開いた状態で運動者に着衣させた状態を描画した斜視図ある。
【図５】本考案に係る他の実施例を採用した衣類型健康器具の袖部付近を拡大して描画した斜視図である。
【図６】図４のＡ−Ａ断面図である。
【符号の説明】
【００３４】
１    衣類型健康器具
２    胴部
３    肩部
４    袖部
４ａ  袖口
５    襟部
５ａ  襟部開口
７    開き部
７ａ  縁部
８    ファスナー（開閉手段）
８ａ、８ｂ  帯状噛合歯群
１０    運動者
１０ａ  腕
１０ｂ  体
【図１】
0003133831.tif 000003
【図２】
0003133831.tif 000004
【図３】
0003133831.tif 000005
【図４】
0003133831.tif 000006
【図５】
0003133831.tif 000007
【図６】
0003133831.tif 000008